(57)【要約】      （修正有）【課題】装着が簡単で、美観を損ねず、多種のサイズに対応し、かつ耐久性に優れたカレンダー吊り下げ構造体を提供する。【解決手段】輪状で、伸縮性のある素材でできたカレンダー吊り下げ用バンドを、金具（２）と、カレンダー用紙（３）の隙間（４）に引っ掛けることにより装着する。【選択図】図１
0003116372.tif 000002
【実用新案登録請求の範囲】
【請求項１】
複数枚のカレンダー用紙の上部を一枚の金具製本用金属板を折り曲げ、はさみ巻き締め、巻き締めた金具の部分がカレンダー前面部に折り返されている方法により製本されたカレンダーの、その折り返された金具と、カレンダー用紙の上部の隙間に輪状のポリウレタン、ゴム等の伸縮性素材を引っ掛けることにより、装着されるカレンダー吊り下げ用バンド。
【請求項２】
素材の切断面が、長方形、楕円状である請求項１記載のカレンダー吊り下げ用バンド。
【考案の詳細な説明】
【技術分野】
【０００１】本考案は、カレンダー吊り下げ用バンドに関するものである。
【技術背景】
【０００２】カレンダー吊り下げ用のバンドは、過ぎ去った月のカレンダーをちぎらずに背面にめくり返すことにより保存できる為、重宝されている。
【０００３】従来、カレンダー吊り下げ用のバンドは上部を金具製本された紙のカレンダー前面紙部分の上部左右両端にカレンダーの左右の長さより長いヒモの両端をそれぞれのり付けし装着している。
【考案の開示】
【考案が解決しようとする課題】
【０００４】従来のカレンダー吊り下げ用バンドはヒモの両端をのり付けするため、のりの量が少なければ、使用途中ではずれ欠落し、のりの量が多ければ、のりが紙とヒモの間からあふれ美観を損ねるため、最適なのり付け作業には、技術と手間が必要である。【０００５】伸縮性のない従来のヒモは、カレンダーの横幅の長さが多種あるため、各々に合う長さのヒモを用意する必要がある。
【課題を解決するための手段】
【０００６】複数枚のカレンダー用紙の上部を一枚の金具製本用金属板を折り曲げ、はさみ巻き締め、巻き締めた金具の部分がカレンダー前面部に折り返されている方法により製本されたカレンダーの、その折り返された金具と、カレンダー用紙の上部の隙間に輪状の伸縮性素材でできたカレンダー吊り下げ用バンドを引っ掛けることにより装着することで解決できる。【０００７】伸縮性のある素材をつかうことにより、少ないサイズを用意することで、多種の横幅のカレンダーに対応することができる。
【考案の効果】
【０００８】吊り下げ用バンドに輪状の素材をつかうことにより、従来のヒモ付けによる方法より装着を簡単にし、のりのはがれによる欠落を無くし、伸縮性のある素材をつかうことにより、一つのサイズで、多種の横幅のカレンダーに対応することができる。
【考案を実施するための最良の形態】
【０００９】本考案カレンダー吊り下げ用のバンドの実施例を図面を参照して説明する。
【実施例】
【００１０】図１は本考案カレンダー吊り下げ用のバンドの実施例物品の使用状況の斜視図である。
この図１において、１は本考案カレンダー吊り下げ用のバンド本体であり２は金具製本用金属板であり３は複数枚のカレンダー用紙である。【００１１】図１の３である複数枚のカレンダー用紙の上部を、図１の２である金具製本用金属板を折り曲げ、巻き締める製本方法では、巻き締めた金具の部分が、カレンダー前面部に折り返されている。【００１２】その折り返された金具と、カレンダー用紙の上部とは隙間（図１の４）ができる構造になっている。【００１３】そこに図１の１である本考案カレンダー吊り下げ用のバンドを引っ掛けることにより、カレンダーを吊り下げることができるバンドを装着することができる。
【図面の簡単な説明】
【００１４】
【図１】本考案カレンダー吊り下げ用のバンドの使用状況の斜視図である。
【図２】本考案カレンダー吊り下げ用のバンドの斜視図である。
【図３】図２の５−６線に沿って切断したときの断面図である。
【符号の説明】
【００１５】１カレンダー吊り下げ用のバンド
２金具製本用金属板
３複数枚のカレンダー用紙
４折り返された金具と、カレンダー用紙との隙間
【図１】
0003116372.tif 000003
【図２】
0003116372.tif 000004
【図３】
0003116372.tif 000005
【手続補正書】
【提出日】平成17年8月8日(2005.8.8)
【手続補正１】
【補正対象書類名】実用新案登録請求の範囲
【補正対象項目名】全文
【補正方法】変更
【補正の内容】
【実用新案登録請求の範囲】
【請求項１】
複数枚のカレンダー用紙の上部を一枚の金具製本用金属板を折り曲げ、はさみ巻き締め、巻き締めた金具の部分がカレンダー前面部に折り返されている方法により製本されたカレンダーの、その折り返された金具、そしてその金具とカレンダー用紙の上部との隙間に引っ掛け装着したポリウレタン、ゴム等の伸縮性素材の輪状のバンドからなるカレンダー吊り下げ構造体。
【請求項２】
請求項１記載の吊り下げ構造体の伸縮性素材の輪状のバンドの切断面が、長方形、楕円状であるもの。
【手続補正２】
【補正対象書類名】明細書
【補正対象項目名】全文
【補正方法】変更
【補正の内容】
【考案の詳細な説明】
【技術分野】
【０００１】本考案は、カレンダー吊り下げ構造体に関するものである。
【技術背景】
【０００２】カレンダー吊り下げ構造体は、過ぎ去った月のカレンダーをちぎらずに背面にめくり返すことにより保存できる為、重宝されている。
【０００３】従来、カレンダー吊り下げ構造体は、金具により製本された紙のカレンダー前面紙部分の上部左右両端にカレンダーの左右の長さより長いヒモの両端をそれぞれのり付けし装着することで形成される。
【考案の開示】
【考案が解決しようとする課題】
【０００４】従来のカレンダー吊り下げ構造体は金具により製本された紙のカレンダー前面紙部分の上部左右両端にヒモの両端をのり付けし装着するため、のりの量が少なければ、使用途中ではずれ欠落し、また、のりの量が多ければ、のりが紙とヒモの間からあふれ美観を損ねるため、最適なのり付け作業には、技術と手間が必要である。【０００５】伸縮性のない従来のヒモは、カレンダーの横幅の長さが多種あるため、各々に合う長さのヒモを用意する必要がある。
【課題を解決するための手段】
【０００６】複数枚のカレンダー用紙の上部を一枚の金具製本用金属板を折り曲げ、はさみ巻き締め、巻き締めた金具の部分がカレンダー前面部に折り返されている方法により製本されたカレンダーの、その折り返された金具と、カレンダー用紙の上部の隙間に輪状の伸縮性素材でできたバンドを引っ掛けることにより装着する構造を持つことでことで解決できる。【０００７】輪状のバンドに伸縮性のある素材をつかうことにより、少ないサイズを用意することで、多種の横幅のカレンダーに対応することができる。
【考案の効果】
【０００８】バンドに輪状の素材をつかうことにより、従来のヒモ付けによる方法より装着を簡単にし、のりのはがれによる欠落を無くし、また、伸縮性のある素材をつかうことにより、一つのサイズで、多種の横幅のカレンダーに対応することができる。
【考案を実施するための最良の形態】
【０００９】本考案カレンダー吊り下げ構造体の実施例を図面を参照して説明する。
【実施例】
【００１０】図１は本考案カレンダー吊り下げ構造体の実施例物品の使用状況の斜視図である。
この図１において、１は伸縮性素材の輪状のバンドであり２は金属板でできた製本用金具であり３は複数枚のカレンダー用紙である。【００１１】図１の３である複数枚のカレンダー用紙の上部を、図１の２である金具製本用金属板を折り曲げ、巻き締める製本方法では、巻き締めた金具の部分が、カレンダー前面部に折り返されている。【００１２】その折り返された金具と、カレンダー用紙の上部とは隙間（図１の４）ができる構造になっている。【００１３】そこに図１の１である伸縮性素材でできた輪状のバンドを引っ掛けることにより、カレンダーを吊り下げることができる構造を持つことができる。
【図面の簡単な説明】
【００１４】
【図１】本考案カレンダー吊り下げ構造体の使用状況の斜視図である。
【図２】伸縮性素材でできた輪状のバンドの斜視図である。
【図３】図２の５−６線に沿って切断したときの断面図である。
【符号の説明】
【００１５】１伸縮性素材でできた輪状のバンド
２カレンダー製本用金具
３複数枚のカレンダー用紙
４折り返された金具と、カレンダー用紙との隙間